(57)【要約】【課題】  プールのような深い水槽に比べて浅い浴槽内に貯留された水に浸かりつつ運動を行うことができる水中運動設備の提供。【解決手段】  浴槽１に設けられるフレーム６は、上下方向に沿って配置される支柱１０と、浴槽１の底面の近傍に前後方向に沿って配置される水平腕１１と、支柱１０と水平腕１１とを接続する接続腕１２とを有する。水平腕１１には、座部８が設けられており、その座面が浴槽１の底面から２００ｍｍ以下の高さとされる。接続腕１２には、一対のペダル７，７が回転可能に設けられており、利用者は、浴槽１内に貯留された水に浸かりつつ、座部８に座りペダル７を踏んで運動する、いわゆる自転車運動を行うことができる。【選択図】      図２
0003161873.tif 000002
【実用新案登録請求の範囲】
【請求項１】
浴槽内に設けられるフレームに回転可能に保持されるクランク軸と、
このクランク軸にクランクアームを介して接続される一対のペダルと、
前記フレームに保持され、前記クランク軸よりも下方に配置される座部と
を備えることを特徴とする水中運動設備。
【請求項２】
前記浴槽の深さは、７００ｍｍ以下とされ、
前記座部の座面は、前記浴槽の底面から２００ｍｍまでの高さに配置される
ことを特徴とする請求項１に記載の水中運動設備。
【請求項３】
前記フレームは、前記浴槽の底面から上方へ立設される支柱と、前記浴槽の底面に少なくとも一部を接地されて前記座部を支える水平腕と、前記支柱と前記水平腕とを接続する接続腕とを備え、
前記接続腕に前記クランク軸が回転可能に保持されており、
前記クランク軸には、前記ペダルを踏む負荷を調整可能な負荷部材が着脱可能に設けられる
ことを特徴とする請求項１または請求項２に記載の水中運動設備。
【請求項４】
前記クランク軸には、一または複数の前記負荷部材が設けられ、
前記各負荷部材は、前記クランク軸の回転方向へ開口する有底筒状とされる
ことを特徴とする請求項３に記載の水中運動設備。
【請求項５】
前記浴槽の外面および／または内面に、前記浴槽を出入りするための階段が形成されており、
前記階段の歩行経路に沿って手摺りが設けられている
ことを特徴とする請求項１〜請求項４までのいずれか１項に記載の水中運動設備。
【請求項６】
前記浴槽には、この浴槽の外側へ突出して、前記浴槽と同じ高さの半円形状の腰掛け部が形成されている
ことを特徴とする請求項１〜請求項４までのいずれか１項に記載の水中運動設備。
【請求項７】
請求項１〜請求項６のいずれか１項に記載の水中運動設備が設けられる浴室と、
この浴室に隣接して配置される脱衣場と
を備えることを特徴とする温浴施設。
【考案の詳細な説明】
【技術分野】
【０００１】
本考案は、浴室に設けられる運動用の設備に関するものである。
【背景技術】
【０００２】
周知のとおり、筋力強化やダイエットなどのために各種運動器具が使用されている。近年、これらの運動器具をプール内に取り付け、水中で運動ができるようになっている。
【考案の概要】
【考案が解決しようとする課題】
【０００３】
しかしながら、従来の運動器具は、プールのように深い水槽でしか使用できなかった。そこで、本考案が解決しようとする課題は、プールのような深い水槽に比べて浅い浴槽内に貯留された水に浸かりつつ運動を行うことができる水中運動設備を提供することにある。
【課題を解決するための手段】
【０００４】
本考案は、前記課題を解決するためになされたもので、請求項１に記載の考案は、浴槽内に設けられるフレームに回転可能に保持されるクランク軸と、このクランク軸にクランクアームを介して接続される一対のペダルと、前記フレームに保持され、前記クランク軸よりも下方に配置される座部とを備えることを特徴とする水中運動設備である。
【０００５】
請求項２に記載の考案は、前記浴槽の深さは、７００ｍｍ以下とされ、前記座部の座面は、前記浴槽の底面から２００ｍｍまでの高さに配置されることを特徴とする請求項１に記載の水中運動設備である。
【０００６】
請求項３に記載の考案は、前記フレームは、前記浴槽の底面から上方へ立設される支柱と、前記浴槽の底面に少なくとも一部を接地されて前記座部を支える水平腕と、前記支柱と前記水平腕とを接続する接続腕とを備え、前記接続腕に前記クランク軸が回転可能に保持されており、前記クランク軸には、前記ペダルを踏む負荷を調整可能な負荷部材が着脱可能に設けられることを特徴とする請求項１または請求項２に記載の水中運動設備である。
【０００７】
請求項４に記載の考案は、前記クランク軸には、一または複数の前記負荷部材が設けられ、前記各負荷部材は、前記クランク軸の回転方向へ開口する有底筒状とされることを特徴とする請求項３に記載の水中運動設備である。
【０００８】
請求項５に記載の考案は、前記浴槽の外面および／または内面に、前記浴槽を出入りするための階段が形成されており、前記階段の歩行経路に沿って手摺りが設けられていることを特徴とする請求項１〜請求項４までのいずれか１項に記載の水中運動設備である。
【０００９】
請求項６に記載の考案は、前記浴槽には、この浴槽の外側へ突出して、前記浴槽と同じ高さの半円形状の腰掛け部が形成されていることを特徴とする請求項１〜請求項４までのいずれか１項に記載の水中運動設備である。
【００１０】
さらに、請求項７に記載の考案は、請求項１〜請求項６のいずれか１項に記載の水中運動設備が設けられる浴室と、この浴室に隣接して配置される脱衣場とを備えることを特徴とする温浴施設である。
【考案の効果】
【００１１】
本考案によれば、プールのような深い水槽に比べて浅い浴槽内に貯留された水に浸かりつつ運動を行うことができる水中運動設備を提供することができる。
【図面の簡単な説明】
【００１２】
【図１】本考案の水中運動設備の一実施例を示す概略斜視図である。
【図２】図１の運動器具の一実施例の使用状態を示す右側面図である。
【図３】図１の運動器具の正面図である。
【図４】図１の運動器具の平面図である。
【図５】図１の運動器具の底面図である。
【図６】図１の運動器具の縦断面図である。
【図７】図１の運動器具の一部を拡大して示す概略断面図である。
【図８】支持部材に負荷部材を取り付けた状態を示す斜視図であり、一部を分解して示している。
【図９】支持部材への負荷部材の取付部を示す概略断面図である。
【図１０】図９の分解図である。
【図１１】図１の水中運動設備が設けられた温浴施設の一実施例を示す配置図である。
【図１２】本考案の水中運動設備の変形例を示す概略斜視図である。
【考案を実施するための形態】
【００１３】
以下、本考案の水中運動設備について、実施例に基づき詳細に説明する。
【００１４】
図１は、本考案の水中運動設備の一実施例を示す概略斜視図であり、後部上方から見た状態を示している。本実施例の水中運動設備は、水が貯留される浴槽１と、この浴槽１内に設けられる運動器具２とを備える。
【００１５】
浴槽１は、金属製とされ、表面がバフ仕上げされたものである。浴槽１は、上面に開口した前後に細長い略長方形の中空ボックス状とされ、深さが７００ｍｍ以下とされる。図示例では、浴槽１は、その手前側隅部が短手方向に外方へ突出して形成され、この突出部内には、階段３が設けられ、その階段３の歩行経路に沿って、浴槽１の壁部に手摺り５が設けられる。また、浴槽１の突出部の外部には、前記階段３と対応して一段の階段４が設けられる。従って、利用者は、手摺り５を持って階段３，４を利用して、浴槽１を出入りすることができるため、容易かつ安全に浴槽１を出入りすることができる。
【００１６】
浴槽１は、運動器具２が一台設けられる広さを有し、内部に、その長手方向に沿って、運動器具２が置かれる。その際、運動器具２の後端部が、浴槽１の後端部に配置される。図２から図６は、図１の運動器具２の一実施例を示す図であり、図２は使用状態を示す右側面図、図３は正面図、図４は平面図、図５は底面図、図６は縦断面図である。また、図７は、図１の運動器具２の一部を拡大して示す概略断面図である。本実施例の運動器具２は、利用者が、浴槽内で座部に座りペダルを踏んで運動する、いわゆる自転車運動を行うための器具である。
【００１７】
本実施例の運動器具２は、浴槽１内に設けられるフレーム６と、フレーム６に回転可能に設けられる一対のペダル７，７と、フレーム６に設けられる座部８と、ペダル７を踏む負荷を与える負荷部材９とを主要部に備える。
【００１８】
フレーム６は、浴槽１の壁面の近傍に上下方向に沿って配置される支柱１０と、浴槽１の底面の近傍に前後方向に沿って配置される水平腕１１と、支柱１０と水平腕１１とを接続する接続腕１２とを備える。
【００１９】
支柱１０は、金属製のパイプにより形成されており、下端部が金属製の支持台１３に固定される。支持台１３は、左右方向に細長い略矩形状とされ、左右両端部に段部１４，１４が形成されている。支持台１３は、長手方向が左右方向に沿うように配置され、左右方向略中央部に支柱１０が立設される。
【００２０】
支持台１３に形成された各段部１４には、アジャスト脚１５が設けられる。各アジャスト脚１５は、浴槽１の底面への接地部となる受座１６と、受座１６から上方へ延出すると共に受座１６に対し回転自在なネジ棒とを備える。このようなアジャスト脚１５は、ネジ棒が支持台１３の段部１４に進退可能にねじ込まれて設けられる。従って、ネジ棒を回転させて、ネジ棒の突出量を調整することができる。
【００２１】
支柱１０の上下方向略中央部には、固定具１７を介して、ハンドル１８が設けられる。ハンドル１８は、前後方向に沿って配置される金属製の第一パイプ１９の先端部に、金属製の第二パイプ２０が左右方向に沿って設けられて平面視略Ｔ字形とされている。ハンドル１８の第一パイプ１９は、側面視において円弧状に湾曲して形成されており、基端部には、略矩形板状のフランジ２１が形成されている。ハンドル１８の第二パイプ２０の両端部には、ゴムなどで形成されたグリップ２２が設けられる。
【００２２】
固定具１７は、一対の矩形状のブロック体２３，２３を有している。各ブロック体２３の一端面中央には、上下方向に沿って断面略半円形の縦溝２４が形成されている。このような構成により、各ブロック体２３の一端面同士が重ね合わされると、上下方向へ開口する円形の縦穴が現出する。
【００２３】
一対の各ブロック体２３は、縦溝２４に支柱１０を配置した状態で、支柱１０を挟み込むように設けられ、一方のブロック体２３の他端面にハンドル１８のフランジ２１が重ね合わされる。そして、ハンドル１８のフランジ２１および一対のブロック体２３，２３を貫通するようにボルト２５を挿し込み、ボルト２５の先端部にナット２６をねじ込むことで、支柱１０に固定具１７が取り付けられると共に、固定具１７にハンドル１８が取り付けられる。固定具１７は、支柱１０に対して着脱可能であり、固定具１７の取付位置を変更することで、ハンドル１８の高さを調整することができる。
【００２４】
支柱１０の上下方向略中央部から後方へ延出して、接続腕１２が設けられる。接続腕１２は、金属製で略矩形筒状とされ、その前端部が、金属製の接続部材２７を介して支柱１０に取り付けられる。接続部材２７は、前方へ開放する略コ字形状に屈曲された板状に形成されている。
【００２５】
具体的には、接続部材２７は、上下に離隔して配置される開放両端片２８，２８と、開放両端片２８の後端部同士を架け渡す中央片２９とにより形成されている。接続部材２７の開放両端片２８には、互いに対応して上下に沿って貫通穴３０が形成されている。接続部材２７は、開放両端片２８の貫通穴３０に支柱１０が通された状態で、支柱１０の上下方向略中央部に固定される。その際、接続部材２７は、支柱１０に取り付けられた固定具１７よりも下方に配置される。接続腕１２は、この接続部材２７の中央片２９に、その前端部が固定されて設けられ、後方へ水平に延出した後、後方へ行くに従って下方へ傾斜して設けられる。そして、この接続腕１２の後端部に、水平腕１１が接続される。
【００２６】
水平腕１１は、金属製で略矩形筒状に形成されており、軸線が前後方向に沿うように配置され、その前端部が接続腕１２の後端部に固定されている。水平腕１１の上面には、座部８が固定される。なお、座部８は、水平腕１１に前後方向にスライド可能に設けられてもよい。水平腕１１の後端部開口は、プラスチック製の蓋材３１にて閉塞される。
【００２７】
水平腕１１の左右両側壁の前後方向略中央部には、略Ｌ字形状の脚部３２が形成されている。具体的には、脚部３２は、水平腕１１の左右両側壁から外方へ延出した後、下方へ延出している。各脚部３２の先端部には、アジャスト脚３３が設けられる。アジャスト脚３３は、前述したものと同様に、受座３４とネジ棒３５とを備えており、脚部３２の先端部にネジ棒３５がねじ込まれて設けられる。
【００２８】
水平腕１１の左右両側壁には、前記脚部３２よりも後方部にハンドル３６が設けられる。ハンドル３６は、金属製のパイプを湾曲して形成されており、基端部に略矩形板状のフランジ３７が形成されている。ハンドル３６は、基端部のフランジ３７が水平腕１１の側壁に重ね合わされてネジ３８で取り付けられる。具体的には、ハンドル３６は、水平腕１１の左右両側壁から外方へ延出した後、前方へ行くに従って上方へ傾斜し、さらに前方へ行くに従って下方へ傾斜している。
【００２９】
本実施例では、接続腕１２と支持台１３とを架け渡す補助腕３９が設けられる。補助腕３９は、金属製で略矩形筒状に形成されており、前端部が支持台１３の後面の左右方向略中央に接続される一方、後端部が接続腕１２の傾斜部の略中央に接続される。具体的には、補助腕３９は、支持台１３の後面から後方へ延出した後、接続腕１２に向けて、後方へ行くに従って上方へ傾斜している。
【００３０】
図６や図７に示すように、接続腕１２の傾斜部は、前後両端部を残して、上下方向に開口すると共に、左右両側壁の上下両端部には、段部が形成されている。具体的には、接続腕１２の左右側壁の上下端部は、左右方向内側へ水平に延出した後、上下方向外側へ延出して、段部が形成されている。このようにして段部が形成されることで、図７に示すように、接続腕１２には、左右方向内側へ開口する凹部４０が形成される。
【００３１】
接続腕１２の左右側壁の前後方向略中央部には、それぞれ円形の貫通穴４１が左右方向に沿って形成されている。この各貫通穴４１にはめ込まれるように、第一軸受４２が設けられる。第一軸受４２は、金属製の略円筒状とされ、その基端部にはフランジが形成されている。第一軸受４２は、先端部が貫通穴４１に差し込まれると共にフランジが凹部４０底面に重ね合わされた状態で、接続腕１２に固定される。
【００３２】
第一軸受４２の内穴にはめ込まれるように、第二軸受４３が設けられる。第二軸受４３は、ジュラコン製の略円筒状とされ、その基端部にはフランジが形成されている。第二軸受４３は、先端部が第一軸受４２の内穴に差し込まれると共にフランジが第一軸受４２のフランジに重ね合わされた状態で、第二軸受４３のフランジを介して第一軸受４２のフランジにネジ４４をねじ込むことで、第一軸受４２に固定される。
【００３３】
このようにして固定された第二軸受４３，４３の内穴に、金属製の略円柱状のクランク軸４５が回転自在にはめ込まれて保持される。その際、クランク軸４５の両端部は、接続腕１２の左右両側壁から外方へ突出している。このクランク軸４５の両端部は、断面略矩形状に形成されており、この両端部には、クランクアーム４６を介してペダル７が設けられる。
【００３４】
各クランクアーム４６は、金属製とされる。図７に示すように、各クランクアーム４６は、左右方向内側へ開口する略長方形の中空ボックス状に形成されており、先端部が先端側へ行くに従って浅くなるように形成されている。また、側面視（図２）では、各クランクアーム４６は、長手方向両端部が略円弧状に形成され、先端側へ行くに従って幅が細くなるように形成されている。
【００３５】
各クランクアーム４６の底壁の基端部には、左右方向外側へ開口した凹部４７が形成されている。クランクアーム４６の内部には、板状の固定部材４８が、前記凹部４７の底壁に重ね合わされた状態で固定される。固定部材４８には、左右方向内側へ開口して、前記クランク軸４５の突出部がはめ込まれる凹部４９が形成されている。そして、クランクアーム４６に固定された固定部材４８の凹部４９に、クランク軸４５の突出部がはめ込まれた状態で、凹部４７，４９の底壁を介して、クランク軸４５の突出部にネジ５０がねじ込まれることで、クランクアーム４６がクランク軸４５に一体回転可能に固定される。
【００３６】
クランクアーム４６の先端部には、穴が左右方向に沿って形成されており、この穴に丸棒状の軸部５１の基端部がはめ込まれて固定される。図示例では、筒状の固定部材５２がクランクアーム４６の先端内部に固定されており、この固定部材５２に軸部５１の基端部がはめ込まれて固定される。
【００３７】
ペダル７は、プラスチック製とされ、図２に示すように、上面が上方へ円弧状に緩やかに膨出した略矩形板状に形成されている。ペダル７には、左右方向に沿って円形の貫通穴５３が形成されており、その貫通穴５３に軸部５１が通された状態で、貫通穴５３よりも大径の円板５４を介して、軸部５１の先端部にネジ５５をねじ込むことで、ペダル７が軸部５１に回転可能に保持される。
【００３８】
クランク軸４５には、支持部材５６を介して、複数（図示例では六個）の負荷部材９，９，…が設けられる。図８は、支持部材５６に負荷部材９を取り付けた状態を示す斜視図であり、一部を分解して示している。また、図９および図１０は、支持部材５６への負荷部材９の取付部を示す図であり、図９は概略断面図、図１０は図９の分解図である。
【００３９】
支持部材５６は、クランク軸４５にはめ込まれて固定される連結部材５７と、この連結部材５７に設けられる二枚の板材５８，５８とにより構成される。連結部材５７は、断面六角形の棒状とされ、軸線に沿って円形の貫通穴５９が形成されている。連結部材５７の軸方向略中央部には、円板状のフランジ６０が形成されている。
【００４０】
各板材５８は、連結部材５７のフランジ６０よりも大径な略円板状に形成されており、中央部には、その板面と垂直に、連結部材５７がはめ込まれる六角形の貫通穴６１が形成されている。各板材５８には、周方向等間隔に、六つの差込溝６２が径方向外側へ開口して形成されている。一方の板材５８には、差込溝６２の近傍に、径方向に離隔して二つのネジ挿通穴６３，６３が形成されている。また、他方の板材５８には、ネジ挿通穴６３と対応する位置に、ネジ穴６４が形成されている。
【００４１】
二枚の板材５８は、連結部材５７の軸方向両端部から、貫通穴６１に連結部材５７を通してはめ込まれる。そして、連結部材５７のフランジ６０を挟んだ状態で、一方の板材５８およびフランジ６０を介して、他方の板材５８にネジ６５がねじ込まれることで、各板材５８が連結部材５７に取り付けられる。取付状態では、各板材５８に形成された差込溝６２，６２同士が重なり合っている。つまり、各板材５８の差込溝６２，６２同士は、左右方向に対応して配置されている。このような構成の支持部材５６は、連結部材５７の貫通穴５９にクランク軸４５が通された状態で、連結部材５７の周側壁を介してクランク軸４５にネジ６６をねじ込むことで、クランク軸４５に一体回転可能に固定される。図７に示すように、支持部材５６は、クランク軸４５の軸方向略中央部に固定されて、接続腕１２の傾斜部の左右両側壁間に配置される。
【００４２】
各負荷部材９は、金属製とされる。各負荷部材９は、有底の略長方形の筒状とされ、長手方向一端部が一端側へ行くに従って浅くなるように形成されている。各負荷部材９の底壁の長手方向一端部には、長手方向に細長い略長方形状の貫通穴６７が形成されている。各負荷部材９の底壁には、その板面と垂直に、貫通穴６７を挟んだ短手方向両側に２つずつネジ挿通穴６８が形成されている。
【００４３】
各負荷部材９の底壁には、略Ｔ字形状の取付部材６９が貫通して設けられる。取付部材６９は、負荷部材９を支持部材５６に取り付けるためのものであり、略矩形板状の一片７０と、一片７０に立設される略長方形の板状の他片７１とから構成される。取付部材６９の一片７０の四隅には、その板面と垂直にネジ穴７２が形成されている。そして、取付部材６９の一片７０が負荷部材９の底壁の内面に重ね合わされると共に、負荷部材９の貫通穴６７に取付部材６９の他片７１を貫通させた状態で、負荷部材９のネジ挿通穴６８を介して、取付部材６９の一片７０のネジ穴７２にネジ７３をねじ込むことで、負荷部材９に取付部材６９が取り付けられる。一方、取付部材６９の他片７１には、その板面と垂直に、二つのネジ挿通穴７４，７４が長手方向に離隔して形成されている。
【００４４】
取付部材６９が取り付けられた負荷部材９は、その長手方向一端部から、取付部材６９の他片７１が板材５８，５８間に配置されつつ、板材５８の差込溝６２に差し込まれる。この差込状態において、一方の板材５８のネジ挿通穴６３および取付部材６９の他片７１のネジ挿通穴７４を介して、他方の板材５８のネジ穴６４にネジ７５がねじ込まれることで、負荷部材９が支持部材５６に取り付けられる。このようにして、六つの負荷部材９は、支持部材５６に対して、周方向等間隔に着脱可能に取り付けられる。この際、各負荷部材９の開口は、同一周方向に向けられている。
【００４５】
支持部材５６に取り付けられることで、各負荷部材９は、クランク軸４５に一体回転可能に保持される。その際、各負荷部材９の開口は、図６における反時計方向に向けられている。図６や図７に示すように、クランク軸４５に保持された各負荷部材９は、カバー７６内に収容される。
【００４６】
ところで、補助腕３９は、接続腕１２の傾斜部と同様にして、上下方向に開口すると共に、左右両側壁の上下両端部には、段部が形成されている。具体的には、補助腕３９の左右側壁の上下端部は、左右方向内側へ水平に延出した後、上下方向外側へ延出して、段部が形成されている。補助腕３９や接続腕１２に形成された各段部には、それらの開口を覆うようにして、中空状のカバー７６が着脱可能に設けられる。
【００４７】
具体的には、補助腕３９や接続腕１２に形成された各段部の垂直片７７の外面に、板状の保持部材７８が重ね合わされた状態で固定される。そして、接続腕１２の傾斜部の上方への開口を覆うようにして、略半円形の中空ボックス状の第一カバー７９が、段部に固定された保持部材７８にネジ８０で取り付けられる。また、接続腕１２の傾斜部の下方への開口と、補助腕３９の上方への開口とにより形成された逆くの字状の開口を覆うようにして、側面視扇状の略コ字形の第二カバー８１が、段部に固定された保持部材７８にネジ８０で取り付けられる。さらに、接続腕１２の傾斜部の下方への開口と、補助腕３９の下方への開口とにより形成された逆Ｖ字状の開口を覆うようにして、側面視扇状の略コ字形の第三カバー８２が、段部に固定された保持部材７８にネジ８０で取り付けられる。第三カバー８２の下端部には、複数の水抜き穴８３が形成されている。これにより、カバー７６内の水を外部へ排出できる。
【００４８】
以上のような構成の運動器具２は、その下端部に設けられたアジャスト脚１５，３３を介して、浴槽１の底面に置かれる。その際、アジャスト脚１５，３３を伸縮させることで高さが調整できる。運動器具２の座部８は、フレーム６の水平腕１１に固定されているため、座面が浴槽１の下端部に配置される。すなわち、座部８は、クランク軸４５よりも下方に配置される。本実施例では、浴槽１の底面から運動器具２の座部８の座面までの高さａが２００ｍｍまでとされる。
【００４９】
以上のように構成された水中運動設備を使用する場合、浴槽１内に水を貯留する。これにより、運動器具２が水中に配置され、カバー７６とフレーム６との間の隙間や、カバー７６に形成された水抜き穴８３から、カバー７６内に水が入り込む。なお、貯留された水の水温は、３４〜３７℃とされる。
【００５０】
利用者は、座部８に座り、各ペダル７に足を載せる。なお、利用者が座部８に座った状態では、水面は利用者の胸辺りで、利用者の顔は水面より上方にあり、呼吸は通常と同様にできる。そして、ハンドル１８またはハンドル３６を持って、自転車を漕ぐのと同様にペダル７を踏むことで、クランク軸４５が図６における反時計方向に回転し、クランク軸４５に一体回転可能に保持された各負荷部材９が、水を掻きながら回転する。
【００５１】
従って、ペダル７を漕ぐ際に、各負荷部材９が水の抵抗を受けるため、利用者に負荷を与えることができる。各負荷部材９は、支持部材５６に着脱可能に取り付けられているため、支持部材５６への取付個数を調整することができる。これにより、ペダル７を踏む負荷を調整することができる。なお、本実施例の運動器具２では、浴槽１内から外部へ水を排出すると、カバー７６内の水は、カバー７６とフレーム６との間の隙間や、カバー７６に形成された水抜き穴８３から外部へ排出される。
【００５２】
図１１は、図１の水中運動設備が設けられた温浴施設の一実施例を示す配置図である。この図に示すように、温浴施設は、前後左右が壁で囲まれた一つのフロアの一部が、前後に区画されて、前側の領域が浴室８４とされる一方、後側の領域が脱衣場８５とされる。脱衣場８５と浴室８４との間には、ドア８６が設けられており、互いに出入り可能とされている。
【００５３】
脱衣場８５は、略矩形状とされ、その後壁にドア８７が形成されて出入り可能とされている。また、脱衣場８５には、洗面台８８、脱衣箱８９およびトイレ９０が設けられる。
【００５４】
浴室８４は、略矩形状とされ、図１１における奥側端部に、略矩形状の浴槽９１と本実施例の水中運動設備とが隣接して設けられる。本実施例の水中運動設備の浴槽１は、下端部が床面に埋め込まれて設けられる。また、浴室８４の前側端部には、二つの介護用浴槽９２，９２が左右に離隔して配置される。さらに、浴室８４の手前側端部には、三つの洗い場９３，９３，９３が設けられる。
【００５５】
図１２は、本考案の水中運動設備の変形例を示す概略斜視図であり、後部上方から見た状態を示している。本変形例の水中運動設備も、基本的には前記実施例と同様の構成である。そこで、以下においては、両者の異なる点を中心に説明し、対応する箇所には同一の符号を付して説明する。
【００５６】
前記実施例では、浴槽１に階段３，４が設けられたが、本変形例では、浴槽１を出入りするための腰掛け部９４が浴槽１に設けられる。具体的には、浴槽１は、上面に開口した前後に細長い略長方形の中空ボックス状とされ、手前側隅部に短手方向に沿って外方へ突出して腰掛け部９４が形成されている。腰掛け部９４は、浴槽１と同じ高さであり、浴槽１から外方へ半円形状に突出している。
【００５７】
腰掛け部９４と対応するようにして、浴槽１内には、一段の階段９５が設けられる。また、浴槽１の壁部の手前側隅部には、短手方向に沿って手摺り９６が設けられる。以上のような構成のため、利用者は、腰掛け部９４に外方を向いて座り、座った状態のまま身体を回転させて浴槽１内を向いた後、階段９５を利用して浴槽１内に入ることができる。浴槽１内から出るときは、これとは逆に、腰掛け部９４に内方を向いて座り、座った状態のまま身体を回転させればよい。従って、利用者は、容易かつ安全に浴槽１内を出入りすることができる。
【００５８】
本実施例の水中運動設備によれば、水に浸かった状態で自転車漕ぎ運動ができ、食事や排泄などの日常生活動作の向上や健康維持の促進を図ることができる。また、本実施例の水中運動設備によれば、運動器具２において座部８が下端部に配置されているため、浴槽１内に設置した際、座部８が浴槽１の底面に近い位置に配置される。これにより、浴槽１の水深が比較的浅くても、身体が水に浸かった状態でペダル７を漕ぐことが可能とされる。
【００５９】
本実施例の水中運動設備によれば、各個人の体力などに応じて、負荷を調整することが可能である。また、負荷部材９や支持部材５６の構成は簡易であり、補修や修理などが容易である。
【００６０】
本実施例の水中運動設備によれば、省スペースで容易に浴室８４に設置することができる。また、本実施例の水中運動設備によれば、浴室８４を、通常の浴室のように身体を洗ったり、湯舟に浸かったりすることができると共に、健康維持のための運動ができる施設とすることができる。
【００６１】
本考案の水中運動設備は、前記実施例の構成に限らず、適宜変更可能である。たとえば、浴槽１の形状は、略長方形状に限らず、適宜に変更可能である。また、浴槽１の深さは、比較的浅底であればよく、適宜に変更可能である。さらに、前記実施例では、運動器具２は、高さ調整可能な構成とされたが、高さ調整できない構成としてもよい。この場合も、浴槽１の底面から運動器具２の座部８の座面までの高さａが２００ｍｍまでとされる。
【符号の説明】
【００６２】
１  浴槽
３  階段
４  階段
５  手摺り
６  フレーム
７  ペダル
８  座部
９  負荷部材
１０  支柱
１１  水平腕
１２  接続腕
４５  クランク軸
４６  クランクアーム
８４  浴室
８５  脱衣場
９４  腰掛け部
【図１】
0003161873.tif 000003
【図２】
0003161873.tif 000004
【図３】
0003161873.tif 000005
【図４】
0003161873.tif 000006
【図５】
0003161873.tif 000007
【図６】
0003161873.tif 000008
【図７】
0003161873.tif 000009
【図８】
0003161873.tif 000010
【図９】
0003161873.tif 000011
【図１０】
0003161873.tif 000012
【図１１】
0003161873.tif 000013
【図１２】
0003161873.tif 000014